【手続補正書】
【提出日】平成30年4月5日(2018.4.5)
【手続補正１】
【補正対象書類名】特許請求の範囲
【補正対象項目名】全文
【補正方法】変更
【補正の内容】
【特許請求の範囲】
【請求項１】
−  少なくとも１種のシラン基含有有機ポリマー、および
−  式（Ｉ）
【化１】
2017513982.tif 000001
（式中、
Ａは、１〜１００個の炭素原子を有し、不飽和部分を含んでもよく、ヘテロ原子を含んでもよく、かつアミノ基または水酸基を有してもよい、脂肪族または脂環式またはアリール脂肪族ヒドロカルビル基であるか、またはＲ１と一緒に、４〜１２個の炭素原子を有し、かつヘテロ原子を含んでもよい、分岐していてもよい２価のアルキレン基であり、
Ｒ１は、水素、または１〜８個の炭素原子を有するアルキル基、シクロアルキル基もしくはアラルキル基であるか、またはＡと一緒に、４〜１２個の炭素原子を有し、かつヘテロ原子を含んでもよい、分岐していてもよい２価のアルキレン基であり、かつ
Ｒ２およびＲ５は、それぞれ独立して、１〜１８個の炭素原子を有し、かつヘテロ原子を含んでもよい、アルキル基、シクロアルキル基またはアラルキル基であり、
ただし、ＡはＲ２およびＲ５のそれぞれと異なる基である）
の少なくとも１種の触媒
を含む、組成物であって、
前記式（Ｉ）の触媒が芳香環または芳香族複素環系の一部に直接結合した窒素原子を含まず、また、前記式（Ｉ）の触媒がシラン基を含まず、
該組成物がカルボジイミドを含まない、組成物。
【請求項２】
Ａは、ｎ−ヘキシル、ｎ−オクチル、２−エチルヘキシル、ｎ−デシル、ラウリル、シクロヘキシル、ベンジル、２−メトキシエチル、３−メトキシプロピル、オキシエチレン単位および１，２−オキシプロピレン単位を有し、かつ分子量が約１８０〜６００ｇ／ｍｏｌの範囲のポリオキシアルキレン基、Ｎ−メチル−３−アミノプロピル、Ｎ−（２−エチルヘキシル）−３−アミノプロピル、Ｎ−シクロヘキシル−３−アミノプロピル、３−（Ｎ，Ｎ−ジメチルアミノ）プロピル、２−アミノプロピル、３−アミノプロピル、３−アミノペンチル、５−アミノ−４−メチルペンチル、５−アミノ−２−メチルペンチル、６−アミノヘキシル、６−アミノ−３，３（５），５−トリメチルヘキシル、６−アミノ−２，２（４），４−トリメチルヘキシル、８−アミノオクチル、１０−アミノデシル、１２−アミノドデシル、３−アミノメチル−３，５，５−トリメチルシクロヘキシル、３−アミノ−１，５，５−トリメチルシクロヘキシルメチル、３−アミノメチルシクロヘキシルメチル、４−アミノメチルシクロヘキシルメチル、３−アミノメチルベンジル、５−アミノ−３−オキサペンチル、分子量が約２００〜５００ｇ／ｍｏｌの範囲のω−２−アミノプロピルポリオキシプロピレン基、２−ヒドロキシプロピル、３−ヒドロキシプロピル、１，１−ジメチル−２−ヒドロキシエチル、および５−ヒドロキシ−３−オキサペンチルからなる群から選択されることを特徴とする、請求項１に記載の組成物。
【請求項３】
Ｒ１は水素であることを特徴とする、請求項１または２に記載の組成物。
【請求項４】
Ｒ２およびＲ５は、それぞれ独立して、エチル、イソプロピル、ｔｅｒｔ−ブチル、３−（ジメチルアミノ）プロピルまたはシクロヘキシルであることを特徴とする、請求項１〜３のいずれか一項に記載の組成物。
【請求項５】
前記シラン基含有有機ポリマーは、シラン基含有ポリオレフィン、もしくはシラン基含有ポリエステル、もしくはシラン基含有ポリ（メタ）アクリレート、もしくはシラン基含有ポリエーテル、またはこれらのポリマーの混合形態であることを特徴とする、請求項１〜４のいずれか一項に記載の組成物。
【請求項６】
少なくとも１種の有機チタネートがさらに存在することを特徴とする、請求項１〜５のいずれか一項に記載の組成物。
【請求項７】
式（ＩＩ）の少なくとも１種のアミンと式（ＩＩＩ）の少なくとも１種のカルボジイミドを反応させて前記式（Ｉ）の触媒を調製する工程と、
【化２】
2017513982.tif 000002
調製した触媒を、少なくとも１種のシラン基含有有機ポリマーまたは少なくとも１種のシラン基含有有機ポリマーを含む組成物に加える工程を含む、請求項１〜６のいずれか一項に記載の組成物を製造する方法。
【請求項８】
前記式（ＩＩ）の前記アミンは、ｎ−ヘキシルアミン、ｎ−オクチルアミン、２−エチルヘキシルアミン、ｎ−デシルアミン、ラウリルアミン、シクロヘキシルアミン、ベンジルアミン、２−メトキシエチルアミン、３−メトキシプロピルアミン、オキシエチレン単位および１，２−オキシプロピレン単位を有し、かつ平均分子量が約１８０〜６００ｇ／ｍｏｌの範囲のポリオキシアルキレンアミン、Ｎ−メチル−１，３−プロパンジアミン、Ｎ−（２−エチルヘキシル）−１，３−プロパンジアミン、Ｎ−シクロヘキシル−１，３−プロパンジアミン、Ｎ，Ｎ−ジメチル−１，３−プロパンジアミン、１，２−プロパンジアミン、１，３−プロパンジアミン、１，３−ペンタンジアミン、１，５−ジアミノ−２−メチルペンタン、１，６−ヘキサンジアミン、２，２，４−および２，４，４−トリメチルヘキサメチレンジアミン、１，８−オクタンジアミン、１，１０−デカンジアミン、１，１２−ドデカンジアミン、１−アミノ−３−アミノメチル−３，５，５−トリメチルシクロヘキサン、１，３−ビス（アミノメチル）シクロヘキサン、１，４−ビス（アミノメチル）シクロヘキサン、１，３−ビス（アミノメチル）ベンゼン、ビス（２−アミノエチル）エーテル、平均分子量が約２２０〜５００ｇ／ｍｏｌの範囲のポリオキシプロピレンジアミン、１−アミノ−２−プロパノール、３−アミノ−１−プロパノール、２−アミノ−２−メチル−１−プロパノール、および２−（２−アミノエトキシ）エタノールからなる群から選択されることを特徴とする、請求項７に記載の方法。
【請求項９】
前記式（ＩＩＩ）の前記カルボジイミドは、Ｎ，Ｎ’−ジイソプロピルカルボジイミド、Ｎ，Ｎ’−ジ−ｔｅｒｔ−ブチルカルボジイミド、Ｎ，Ｎ’−ジシクロヘキシルカルボジイミドおよびＮ−エチル−Ｎ’−（３−ジメチルアミノプロピル）−カルボジイミドからなる群から選択されることを特徴とする、請求項７または８に記載の方法。
【請求項１０】
前記加える工程は、前記少なくとも１種のシラン基含有有機ポリマーの存在下で前記触媒を調製することにより行われることを特徴とする、請求項７〜９のいずれか一項に記載の方法。
【請求項１１】
請求項１〜６のいずれか一項に記載の組成物を、接着剤、封止剤またはコーティング剤として基材に適用する工程、および、前記組成物を水と接触させる工程を含む、基材の接着、封止、またはコーティングする方法。
【請求項１２】
水で硬化した後の、請求項１〜６のいずれか一項に記載の組成物から得られる硬化組成物。
【請求項１３】
組成物を水と接触させることを含む、請求項１〜６のいずれか一項に記載の組成物に含まれるシラン基含有有機ポリマーを触媒的に架橋する方法。
【請求項１４】
式（Ｉａ）
【化３】
2017513982.tif 000003
（式中、
Ａ’は、６〜３０個の炭素原子を有し、かつエーテル系酸素を含んでもよく、シラン基、水酸基またはアミノ基を含まない、脂肪族または脂環式またはアリール脂肪族ヒドロカルビル基であり、かつ
Ｒ２およびＲ５は、それぞれ独立して、１〜１８個の炭素原子を有し、かつヘテロ原子を含んでもよい、アルキル基、シクロアルキル基またはアラルキル基であり、
ただし、Ａ’はＲ２およびＲ５のそれぞれと異なる基である）
の触媒。
【請求項１５】
式（Ｉｂ）
【化４】
2017513982.tif 000004
（式中、
Ａ’’は、３〜３０個の炭素原子を有し、かつシラン基を含まず、エーテル系酸素を含んでもよく、かつ少なくとも１つの水酸基、または第一級もしくは第二級のアミノ基を有する脂肪族または脂環式またはアリール脂肪族ヒドロカルビル基であり、かつ  Ｒ２およびＲ５は、それぞれ独立して、１〜１８個の炭素原子を有し、かつヘテロ原子を含んでもよい、アルキル基、シクロアルキル基またはアラルキル基であり、
ただし、Ａ’’はＲ２およびＲ５のそれぞれと異なる基である）
の触媒。
【請求項１６】
式（Ｉｃ）
【化５】
2017513982.tif 000005
（式中、
Ａ’’’は、３〜３０個の炭素原子を有し、シラン基を含まず、エーテル系酸素を含んでもよく、かつ少なくとも１つの第三級アミノ基を有する、脂肪族または脂環式またはアリール脂肪族ヒドロカルビル基であり、かつ
Ｒ２およびＲ５は、それぞれ独立して、１〜１８個の炭素原子を有し、ヘテロ原子を含んでもよい、アルキル基、シクロアルキル基またはアラルキル基であり、
ただし、Ａ’’’はＲ２およびＲ５のそれぞれと異なる基である）
の触媒。